(57)【特許請求の範囲】
【請求項１】
ゴム成分を溶解したスチレンを必須とするモノビニル化合物に、下記式（ａ１）で表されるジビニル芳香族化合物由来のペンダントビニル基含有単位を構造単位中にモル分率として０．１０〜０．５０の範囲で含有し、その重量平均分子量における慣性半径（ｎｍ）と上記モル分率の比が１０〜８０の範囲内にあり、平均して１分子中にビニル基を２以上有し、分岐構造を有する溶剤可溶性多官能ビニル共重合体を、重量基準で１００ｐｐｍ〜３０００ｐｐｍ添加した原料溶液を、１個以上連続して配置された重合反応器に、連続的に供給して重合反応を進行させて、該溶剤可溶性多官能ビニル共重合体と該モノビニル化合物が重合して生じる高分岐型超高分子量共重合体と該モノビニル化合物が重合して生じる線状重合体とを含むゴム変性スチレン系樹脂組成物であって、重量平均分子量（Ｍｗ）が１５万〜４０万で、Ｚ平均分子量（Ｍｚ）と重量平均分子量（Ｍｗ）の比（Ｍｚ／Ｍｗ）が２．２〜５．０、分子量１００万〜１５０万における分岐比ｇＭが０．８５〜０．４０であって、２００℃、４９Ｎ荷重の条件にて測定したメルトマスフローレイト（ＭＦＲ）が、５．５ｇ／１０分以上１０．０ｇ／１０分未満である高分岐型インジェクションブロー用ゴム変性スチレン系樹脂組成物を得ること、次いでこれをインジェクションブロー成形に付すことを特徴とするインジェクションブロー成形品の製造方法。
【化１】
0005930668.tif 000005
（式中、Ｒ1はジビニル芳香族化合物に由来する炭化水素基を示す。）
【請求項２】
溶剤可溶性多官能ビニル共重合体が、ジビニル芳香族化合物と共重合可能なモノビニル芳香族化合物とを重合して得られたものであることを特徴とする請求項１記載のインジェクションブロー成形品の製造方法。
【発明の詳細な説明】
【技術分野】
【０００１】
本発明は、ゴム成分を溶解したスチレンを必須とするモノビニル化合物と一分子内に複数の二重結合を有する溶剤可溶性多官能ビニル共重合体とを連続的に重合反応器に供給する連続重合法によって得られる高分岐型超高分子量共重合体と線状重合体とを含有する高分岐型インジェクションブロー用ゴム変性スチレン系樹脂組成物に関するものであり、インジェクションブロー成形性に優れ、強度に優れた中空容器を得ることができる。
【背景技術】
【０００２】
ゴム変性スチレン系樹脂は耐衝撃性に優れ、インジェクションブロー成形性が良好であることから、従来より乳酸菌飲料容器に代表されるインジェクションブロー成形用途に用いられている。これらの用途では、成形サイクルの短縮や成形品の薄肉軽量化、大型容器に適した材料が要求されている。これらの要求に対して、ゴム変性スチレン系樹脂の流動性を高めることで改良が行われてきたが、流動性を高めると、ブロー成形時に偏肉して中空容器の圧縮強度が悪化したり、成形時にインジェクションの金型からブローの金型に反転させるときに糸曳きが発生して、容器の外観不良となる問題がある。
【０００３】
中空容器の圧縮強度を改善するためには、ブロー成形時の偏肉を防止する必要があり、均一な溶融延伸という点で溶融張力が必要である。一方、単に溶融張力を高めるだけでは、溶融状態での伸びを表す溶融延伸性が低下するため、溶融延伸過程で破断してしまうことがある。また、溶融延伸性が高すぎると、糸曳きの問題が発生する。したがって、流動性と溶融張力および溶融延伸性のバランスが需要となる。
【０００４】
溶融張力を制御する手段としては、スチレン系樹脂に超高分子量成分を含有させる方法が有効であることが知られている。
【０００５】
超高分子量成分を含有する樹脂組成物を得る方法としては、例えば、特許文献１に記載された分子量が２００万以上の成分を一定範囲内で含有するスチレン系重合体組成物がある。この組成物を得るためには、重合の前段において低温下で重合を進行させる方法やアニオン重合等で別途重合した超高分子量重合体をブレンドする方法が提案されているが、この方法では、生産性に劣ったり、別途重合した成分をブレンドする場合はコスト高となる等の問題点があった。
【０００６】
上記の問題を回避するために、例えば特許文献２に記載された多官能ビニル化合物単位を含有する１００万以上の分子量成分を一定範囲内で含有するスチレン系重合体などがあり、分岐型超高分子量成分を含有させるために芳香族ジビニル化合物に代表される芳香族多官能ビニル化合物を極少量、ビニル系単量体に添加し重合することが提案されている。しかし、この手段を連続塊状重合に応用すると長期の反応を継続した場合、重合反応器の壁面に存在する境膜と呼ばれる流動が停止している領域においてゲル化が進行するという問題点があり、上記を避けようとすると多官能芳香族ビニル化合物の添加量に制限を受け、望ましい超高分子量成分量を生成させることが困難であった。
【０００７】
さらに、特許文献３には多官能重合開始剤を用いたゴム変性スチレン系樹脂が開示されているが、この方法ではスチレン系重合体全体が高分子量化しやすく、それを避けるために多量の連鎖移動剤を使用すると効果が不十分となる。また、特許文献４には多分岐状マクロモノマーを用いて得られる線状ポリスチレンと多分岐状ポリスチレンからなるスチレン系樹脂組成物により、溶融張力に優れることが開示されているが、溶融延伸性の改善は不十分である。
【先行技術文献】
【特許文献】
【０００８】
【特許文献１】特公昭６２−６１２３１号公報
【特許文献２】特開平２−１７０８０６号公報
【特許文献３】特開２００１−１８７８０８号公報
【特許文献４】特開２００３−２９２７０７号公報
【発明の概要】
【発明が解決しようとする課題】
【０００９】
本発明は、インジェクションブロー成形性の向上と得られる中空容器の強度向上のため、溶融張力と溶融延伸性のバランスに優れた、ゲル状物がなく、高分岐型超高分子量体を含有するインジェクションブロー用ゴム変性スチレン系樹脂組成物及びそれから得られる成形品を提供するものである。
【課題を解決するための手段】
【００１０】
すなわち本発明は、以下に記載する通りの高分岐型インジェクションブロー用ゴム変性スチレン系樹脂組成物をインジェクションブロー成形するインジェクションブロー成形品の製造方法である。
【００１１】
（１）  ゴム成分を溶解したスチレンを必須とするモノビニル化合物に、平均して１分子中にビニル基を２以上有し、分岐構造を有する溶剤可溶性多官能ビニル共重合体を、重量基準で１００ｐｐｍ〜３０００ｐｐｍ添加し、１個以上連続して配置された重合反応器に、原料溶液を連続的に供給して重合反応を進行させて得られるゴム変性スチレン系樹脂組成物であって、該溶剤可溶性多官能ビニル共重合体と該モノビニル化合物が重合して生じる高分岐型超高分子量共重合体と該モノビニル化合物が重合して生じる線状重合体とを含み、重量平均分子量（Ｍｗ）が１５万〜４０万で、Ｚ平均分子量（Ｍｚ）と重量平均分子量（Ｍｗ）の比（Ｍｚ／Ｍｗ）が２．２〜５．０で、分子量１００万〜１５０万における分岐比ｇＭが０．８５〜０．４０であることを特徴とする高分岐型インジェクションブロー用ゴム変性スチレン系樹脂組成物。
【００１２】
（２）  溶剤可溶性多官能ビニル共重合体は、ジビニル化合物と共重合可能なモノビニル化合物とを重合して得られ、更に下記式（ａ１）で表されるジビニル化合物由来のペンダントビニル基含有単位を構造単位中にモル分率として０．１０〜０．５０の範囲で含有し、その重量平均分子量における慣性半径（ｎｍ）と上記モル分率の比が１０〜８０の範囲内にあることを特徴とする（１）の高分岐型インジェクションブロー用ゴム変性スチレン系樹脂組成物。
【化１】
0005930668.tif 000002
（式中、Ｒ1はジビニル化合物に由来する炭化水素基を示す。）
【００１３】
（３）  上記（１）または（２）に記載の高分岐型インジェクションブロー用ゴム変性スチレン系樹脂組成物を成形して得られることを特徴とするインジェクションブロー成形品。
【発明の効果】
【００１４】
本発明の高分岐型インジェクションブロー用ゴム変性スチレン系樹脂組成物は、高分岐型超高分子量共重合体と線状重合体をバランスよく含有し、溶融張力と溶融延伸性のバランスに優れることから、インジェクションブロー成形性に優れ、強度に優れた中空容器を得ることができる。
【発明を実施するための形態】
【００１５】
以下、本発明を詳細に説明する。本発明の高分岐型インジェクションブロー用ゴム変性スチレン系樹脂組成物（以下、ゴム変性スチレン系樹脂組成物ともいう）の製造方法としては、ゴム成分を溶解したスチレンを含むモノビニル化合物と溶剤可溶性多官能ビニル共重合体（以下、多官能ビニル共重合体ともいう）と、必要に応じて溶剤、重合触媒、連鎖移動剤等を添加混合し、直列および／または並列に配列された１個以上の反応器と未反応単量体等を除去する揮発分除去工程を備えた設備に連続的に単量体類を送入し、段階的に重合を進行させる所謂、連続塊状重合法が好適に用いられる。反応器の様式としては、完全混合型の槽型反応器、プラグフロー性を有する塔型反応器、重合を進行させながら一部の重合液を抜き出すループ型の反応器等が例示される。これら反応器の配列の順序に特に制限は無いが、連続生産においてゲル状物の生成を抑制するためには、多官能ビニル共重合体が未反応の状態で、反応器壁面の境膜中に高濃度に滞留する状態を発現させないことが重要であり、第一の反応器として完全混合型の槽型反応器を選択することが好ましい。脱揮工程は加熱器付きの真空脱揮槽やベント付き脱揮押出機などで構成される。脱揮工程を出た溶融状態の重合体は造粒工程へ移送される。造粒工程では、多孔ダイよりストランド状に溶融樹脂を押出し、コールドカット方式や空中ホットカット方式、水中ホットカット方式にてペレット形状に加工される。重合反応器は、１個以上連続して配置されるが、１個の場合は、単独でよく、２個以上の場合は、少なくとも２つは連続的（直列）に配置される。
【００１６】
原料溶液は、スチレンを含むモノビニル化合物とゴム成分及び多官能ビニル共重合体を含む。本発明のゴム変性スチレン系樹脂組成物の構成要素となる多官能ビニル共重合体は、モノビニル化合物類、重合溶媒等に溶解した状態で、必要に応じて上記の反応器の途中から添加することもできる。
【００１７】
本発明のゴム変性スチレン系樹脂組成物の原料として使用されるスチレンを必須とするモノビニル化合物（以下、スチレン系モノマーともいう）は、スチレンが１００％であってもよく、スチレンと他のモノビニル化合物を含む混合物であってもよい。他のモノビニル化合物としては、スチレンと共重合可能なオレフィン性二重結合を有するものであればよく、パラメチルスチレン等の芳香族ビニル系モノマー類、アクリル酸、メタクリル酸等のアクリル酸モノマー、アクリロニトリル、メタクリロニトリル等のシアン化ビニルモノマー、アクリル酸ブチル、メタクリル酸メチル等のアクリル系モノマーや無水マレイン酸、フマル酸等のα，β−エチレン不飽和カルボン酸類、フェニルマレイミド、シクロヘキシルマレイミド等のイミド系モノマー類が挙げられる。これらの他のモノビニル化合物は１種もしくは２種以上を併用して使用することもできる。そして、スチレンと他のモノビニル化合物の割合は、スチレン５０〜１００モル％、他のモノビニル化合物０〜５０モル％であることが、ゴム変性スチレン系樹脂組成物の特性を生かすために好ましい。
【００１８】
本発明のゴム変性スチレン系樹脂組成物の構成要素となるゴム成分としては、ゴム状重合体であることが好ましい。ゴム状重合体としては、常温でゴム的性質を示すものであればよく、例えば、ポリブタジエン、スチレン−ブタジエン共重合体類、スチレン−ブタジエンブロック共重合体類、水添（部分水添）ポリブタジエン、水添（部分水添）スチレン−ブタジエン共重合体類、水添（部分水添）スチレン−ブタジエンブロック共重合体類、エチレン−プロピレン系共重合体類、エチレン−プロピレン−非共役ジエン三元共重合体類、イソプレン重合体類、スチレン−イソプレン共重合体類等である。これらのゴム状重合体は、その１種のみを用いることもできるし、２種以上を組み合わせて用いることもできる。ゴム成分は、スチレン系モノマーに溶解して使用するが、組成物中には後述の相転移の機構によりミクロな粒子状に分散する。
【００１９】
ゴム成分の使用量は、スチレン系モノマー100重量部に対し、2〜8重量部が好ましく、より好ましくは3〜6重量部である。
【００２０】
本発明のゴム変性スチレン系樹脂組成物の原料として使用される多官能ビニル共重合体は、スチレン系モノマーと共重合化されることで高度に分岐された超高分子量のスチレン系樹脂を与えるものである。
【００２１】
上記多官能ビニル共重合体は、特開２００４−１２３８７３号公報、特開２００５−２１３４４３号公報、ＷＯ２００９／１１０４５３等に開示されている方法に準じて得ることができる。具体的には、ジビニル化合物と少なくとも１種以上のモノビニル化合物を使用し、共重合させて、式（ａ１）で示される反応性のペンダントビニル基を有する共重合体を得るものである。さらに、上記特許文献に記載されるように末端にビニル基以外の他の末端基が導入されたものを使用することもでき、特にフェノキシメタクリレート類のような不飽和結合を分子内に有する化合物にて末端変性されたものは（ａ１）以外にも架橋点として作用することが可能となるため好ましい。この場合は、末端の不飽和結合含有構造単位（ａ２）もビニル基を有するので、式（ａ１）の構造単位との合計のモル分率（ａ３）は、全体のビニル基の存在量を示すことになる。
【００２２】
多官能ビニル共重合体を得るために使用するジビニル化合物としては、ジビニルベンゼンに代表されるジビニル芳香族化合物類やエチレングリコールジ（メタ）アクリレートに代表される脂肪族、脂環式（メタ）アクリレート類等が例示される。
【００２３】
また、ここで使用するモノビニル化合物としては、前述したようなスチレン等のモノビニル芳香族化合物を含むモノビニル化合物類が挙げられる。
【００２４】
多官能ビニル共重合体の製造方法としては、例えば、ジビニル芳香族化合物、モノビニル芳香族化合物及び他のモノビニル化合物から選ばれる２種以上の化合物を、ルイス酸触媒、エステル化合物から選ばれる助触媒の存在下、カチオン共重合させることにより得ることができる。また（メタ）アクリレート系のジビニル、モノビニル化合物を使用する場合は、カチオン重合では反応が進行しないため過酸化物等のラジカル触媒の存在下でラジカル重合することにより得ることができる。
【００２５】
ジビニル化合物とモノビニル化合物の使用量は、本発明で使用される多官能ビニル共重合体の組成を与えるように決められるが、ジビニル化合物を、好ましくは全単量体の１０〜９０モル％、より好ましくは３０〜９０モル％使用する。モノビニル化合物を好ましくは全単量体の９０〜１０モル％、より好ましくは７０〜１０モル％使用する。ここで、２−フェノキシエチルメタクリレートのようなカチオン重合においては末端変性剤として作用するものは単量体としては計算しない。
【００２６】
多官能ビニル共重合体の製造で用いられるルイス酸触媒としては、金属イオン（酸）と配位子（塩基）からなる化合物であって、電子対を受け取ることのできるものであれば特に制限なく使用できる。分子量及び分子量分布の制御及び重合活性の観点から、三フッ化ホウ素のエーテル（ジエチルエーテル、ジメチルエーテル等）錯体が最も好ましく使用される。ルイス酸触媒は単量体化合物１モルに対して、０．００１〜１０モルの範囲内で用いるが、より好ましくは０．００１〜０．０１モルである。ルイス酸触媒の使用量が過大であると、重合速度が大きくなりすぎるため、分子量分布の制御が困難となるので好ましくない。
【００２７】
助触媒としてはエステル化合物から選ばれる１種以上が挙げられる。その中で、重合速度及び共重合体の分子量分布制御の観点から炭素数４〜３０のエステル化合物が好適に使用される。入手の容易さの観点から、酢酸エチル、酢酸プロピル及び酢酸ブチルが好適に使用される。助触媒は単量体化合物１モルに対して０．００１〜１０モルの範囲内で使用するが、より好ましくは０．０１〜１モルである。助触媒の使用量が過大であると、重合速度が減少し、共重合体の収率が低下する。一方、助触媒の使用量が過少であると、重合反応の選択性が低下し、分子量分布の増大、ゲルの生成等が生じる他、重合反応の制御が困難となる。
【００２８】
また、ラジカル重合で多官能ビニル共重合体を製造する際に用いられる触媒としては、アゾビスイソブチロニトリルに代表されるアゾ系化合物、ジベンゾイルパーオキサイド、ｔ−ブチルパーオキシベンゾエート等の単官能性の過酸化物や１，１−ビス（ｔ−ブチルパーオキシ）シクロヘキサンのような２官能性以上の多官能性の過酸化物が例示され、単独または２種以上を併用して使用することができる。
【００２９】
本発明で使用する多官能ビニル共重合体は上記のような製造方法で得ることができるが、単量体として使用するジビニル化合物のビニル基の一部は重合させずに残すことが必要である。そして、少なくとも平均して１分子中に２以上、好ましくは３以上のビニル基が存在するようにする。このビニル基は主として上記式（ａ１）で表わされる構造単位として存在する。そして、ビニル基の一部は重合させずに残すことにより架橋反応を抑制し、溶剤可溶性を与えることができる。ここで、溶剤可溶性とは、トルエン、キシレン、ＴＨＦ（テトラヒドロフラン）、ジクロロエタン又はクロロホルムに可溶であることをいい、具体的にはこれらの溶媒１００ｇに、２５℃において５ｇ以上が溶解し、ゲルが発生しないことをいう。一方、ジビニル化合物の一部は２つビニル基が反応して架橋又は分岐することが必要であり、これにより分岐構造を有する共重合体とすることができる。このように、ジビニル化合物の一部については２つのビニル基の一つは反応させ、一つは重合させずに残し、他の一部については２つのビニル基を共に反応させることにより本発明で使用する多官能ビニル共重合体を得ることができる。このような多官能ビニル共重合体を得る重合方法は、上記のように公知であり、上記のようにして製造することができる。
【００３０】
多官能ビニル共重合体の重量平均分子量（Ｍｗ）は、１，０００〜１００，０００であることが好ましく、５，０００〜７０，０００がより好ましい。１，０００より小さい場合は、芳香族ジビニル化合物や多官能（メタ）アクリレート類を用いた場合と同様に連続重合におけるゲル化の進行抑制効果は小さくなり、連続重合において十分な効果を得難い。
【００３１】
多官能ビニル共重合体に導入されるジビニル化合物由来のビニル基を含有するユニットは上記式（ａ１）で表わされる構造単位を有するが、この構造単位（ａ１）のモル分率は、０．１０〜０．５０であることがよい。０．１０モルより少ない場合は、インジェクションブロー成形用途に必要な高分子量の高分岐型超高分子量共重合体が得られにくい。一方、０．５０モルを超える場合は、高分岐型超高分子量共重合体の分子量が過度に増大し、ゲル化が起こりやすくなり、インジェクションブロー成形品の外観不良等を引き起こしやすい。
【００３２】
ここで、構造単位（ａ１）、末端変性剤由来の二重結合（ａ２）および両者の合計のモル分率（ａ３）は日本電子製ＪＮＭ−ＬＡ６００型核磁共鳴分光装置を用い、１３Ｃ−ＮＭＲ及び１Ｈ−ＮＭＲ分析により構造を決定した。溶媒としてクロロホルム−ｄ１を使用し、テトラメチルシランの共鳴線を内部標準として使用した。
上記したように不飽和結合を分子内に有する化合物にて末端変性したものは、式（ａ１）で表わされる構造単位の他に、末端の不飽和結合含有構造単位（ａ２）もビニル基を有するので、両者の合計のモル分率（ａ３）が、０．１０〜０．５０であることがよい。
【００３３】
また、多官能ビニル共重合体は、その重量平均分子量における慣性半径（ｎｍ）と上記構造単位（ａ１）のモル分率又は上記合計のモル分率（ａ３）との比が、本用途に必要な溶融張力と溶融延伸性を付与するための高分岐型超高分子量共重合体をゲル化を伴わずに調整するためには、１０〜８０の範囲にあることが好ましい。上記の比が８０を超える場合は、ゲル化は進行しないが、高分岐型超高分子量共重合体が十分に得られにくい傾向がある。一方、１０より小さい場合は、高分岐型超高分子量共重合体がゲルにまで成長する場合があり、インジェクションブロー成形時に微小なゲルによる外観不良や破れが起こりやすくなる。
【００３４】
ここで、慣性半径は、試料を０．５％のＴＨＦ溶液に調整した後、メンブランフィルターにてろ過し、ろ液についてＧＰＣ多角度光散乱法を用いて測定を行った。さらに、試料を０．２％ＴＨＦ溶液に調整後１日放置した。その後、ＴＨＦを用いて４種類の濃度（０．０２、０．０５、０．１０、０．１２ｗｔ％）の溶液に希釈し、これらの溶液を用いてｄｎ／ｄｃ値（固有の屈折率増分：溶質の濃度変化に対して、そのポリマー溶液の屈折率がどのくらい変化するかを表した値）の測定を行い、得られたｄｎ／ｄｃ値から試料の慣性半径を算出した。
多官能ビニル共重合体は分子量に分布を持つ重合体であり、当然、その慣性半径も分布を有しているため、重量平均分子量における慣性半径を全体の慣性半径の平均値として採用するものである。
【００３５】
ここで定義した慣性半径と二重結合の含有量を表わす指標である構造単位（ａ１）のモル分率又は上記合計のモル分率（ａ３）の比は、高分岐型超高分子量共重合体を構成する際に、核となる多官能ビニル共重合体が重合反応溶液中でどのような広がりの中に、どれだけの反応点を有しているかを表す指標といえる。この比が小さ過ぎると、反応点が近傍にあり、ゲル化を引き起こしやすくなり、またこの比が大き過ぎると分岐型成分の高分子量化が困難となる。
【００３６】
スチレン系モノマーに対する多官能ビニル共重合体の配合率としては、重量基準で１００ｐｐｍ〜３０００ｐｐｍであり、１００ｐｐｍ〜１０００ｐｐｍがより好ましい。多官能ビニル共重合体の配合率が１００ｐｐｍより少ない場合は、高分岐型超高分子量共重合体の生成量が不十分となり、本発明の十分な効果が得られにくいため好ましくない。一方、３０００ｐｐｍを越える場合は、ゲルを生じ、インジェクションブロー成形時に微小なゲルによる外観不良や破れを引き起こす可能性がある。
【００３７】
前記多官能ビニル共重合体とスチレン系モノマーとを共重合させることにより、多官能ビニル共重合体とスチレン系モノマーとの共重合体である高分岐型超高分子量共重合体と、スチレン系モノマーだけから生成する線状重合体と粒子状に分散したゴム成分の混合物である本発明のゴム変性スチレン系樹脂組成物が得られる。スチレン系モノマーとして２種類以上を用いた場合は、線状重合体は共重合体となる。
【００３８】
本発明のゴム変性スチレン系樹脂組成物の重量平均分子量（Ｍｗ）は、１５万〜４０万であり、１８万〜３５万であることが好ましく、２０万〜３０万であることがより好ましい。Ｍｗが１５万未満ではゴム変性スチレン系樹脂組成物の強度が不十分であり、Ｍｗが４０万を超えると流動性が著しく悪化し、成形性が低下する。ゴム変性スチレン系樹脂組成物のＭｗは、重合工程の反応温度、滞留時間、多官能ビニル共重合体の配合割合、重合開始剤の種類及び添加量、連鎖移動剤の種類及び添加量、重合時に使用する溶媒の種類及び量等によって制御することができる。なお、本発明のゴム変性スチレン系樹脂組成物は高分岐型超高分子量共重合体と線状重合体からなるスチレン系樹脂組成物のマトリクス相にゴム状分散粒子が分散した形態であり、分子量はマトリクス相の分子量を意味する。そのため、分子量測定に用いる試料はゴム状分散粒子を除去したものを使用した。具体的には、後述するゲル分測定により調製したサンプルを用いた。
【００３９】
重量平均分子量（Ｍｗ）及びＺ平均分子量（Ｍｚ）、数平均分子量（Ｍｎ）は、ゲルパーミエイションクロマトグラフィー（ＧＰＣ）を用いて、次の条件で測定した。
ＧＰＣ機種：昭和電工株式会社製  Ｓｈｏｄｅｘ  ＧＰＣ−１０１
カラム：ポリマーラボラトリーズ社製  ＰＬｇｅｌ  １０μｍ  ＭＩＸＥＤ−Ｂ
移動相：テトラヒドロフラン
試料濃度：０．２質量％
温度：オーブン４０℃、注入口３５℃、検出器３５℃
検出器：示差屈折計
上記分子量の測定は単分散ポリスチレンの溶出曲線より各溶出時間における分子量を算出し、ポリスチレン換算の分子量として算出したものである。
【００４０】
また、Ｚ平均分子量（Ｍｚ）と重量平均分子量（Ｍｗ）の比（Ｍｚ／Ｍｗ）は、２．２〜５．０であり、２．３〜４．０が好ましく、２．６〜３．５であることがより好ましい。Ｍｚ／Ｍｗが２．２未満であると、高分岐型超高分子量共重合体の含有量が不十分となり、本発明の十分な効果が得られない。Ｍｚ／Ｍｗが５．０を超えると高分岐型超高分子量共重合体の分子量が高くなり、製造過程においてゲルが生成しやすくなる。
【００４１】
本発明のゴム変性スチレン系樹脂組成物の分子量１００万〜１５０万の成分における分岐比ｇＭは、０．８５〜０．４０であり、０．８０〜０．５０であることが好ましい。分岐比ｇＭは、ゴム変性スチレン系樹脂組成物中に含まれる高分岐型超高分子量共重合体の分岐の程度を表しており、分岐比ｇＭが低いほど分岐が多いことを表している。分岐比ｇＭが０．８５超えると分岐が不足し、０．４０未満として分岐を増やしても、それ以上の改良効果が得られない。
【００４２】
分岐比ｇＭはゲルパーミエイションクロマトグラフィー多角度レーザー光散乱光度計（ＧＰＣ−ＭＡＬＳ法）により、分子量と回転半径の測定を行い、ゴム変性スチレン系樹脂組成物の回転半径＜ｒ2＞brと直鎖ポリスチレンの回転半径＜ｒ2＞linから分岐比ｇＭ＝＜ｒ2＞br／＜ｒ2＞linを計算し、分子量１００万〜１５０万の間の平均値として算出した。なお、分岐の大きいポリマーは回転半径が小さいため、分岐比ｇＭの値は小さくなり、分岐が少ないポリマーほど１に近い数値となる。ＧＰＣ−ＭＡＬＳの測定は次の条件にて行った。
ＧＰＣ機種：昭和電工株式会社製Ｓｈｏｄｅｘ  ＤＳ−４
カラム：ポリマーラボラトリーズ社製  ＰＬｇｅｌ  １０μｍ  ＭＩＸＥＤ−Ｂ
移動相：テトラヒドロフラン
試料濃度：０．２質量％
温度：室温
検出器：示差屈折計
ＭＡＬＳ機種：Ｗｙａｔｔ  Ｔｅｃｈｎｏｌｏｇｙ社製  ＤＡＷＮ  ＤＳＰ−Ｆ
波長：６３３ｎｍ（Ｈｅ−Ｎｅ）
上記分岐比ｇＭは標準直鎖多分散ポリスチレン（昭和電工製：ＮＢＳ７０６）の分岐比ｇＭを１とした場合に対する数値を算出したものである。なお、本測定においては、ＧＰＣ測定と同様に、試料はゴム状分散粒子を除去したものを使用した。
【００４３】
ゴム変性スチレン系樹脂組成物のＭｚ／Ｍｗは高分岐型超高分子量共重合体の含有量、分岐比ｇＭは分岐の程度に関係しており、これらの因子はスチレン系モノマーに対する多官能ビニル共重合体の配合割合や重合条件を調整することにより制御することができる。なお、本発明の多官能ビニル共重合体を用いることで、重合初期から高分岐型超高分子量共重合体を効率よく生成させることができ、重合条件によるポリマー設計の自由度が大きい。特にゴム変性スチレン系樹脂組成物の重合においては、重合前半においてゴム状分散粒子のサイズをコントロールする必要があり、重合温度や重合開始剤の種類及び添加量には制限があったが、本発明の多官能ビニル化合物共重合体を用いることで、容易に高分岐型超高分子量体を生成させることができる。
【００４４】
本発明のゴム変性スチレン系樹脂組成物中の残存スチレンモノマーの量は、１００μｇ／ｇ以下であることが好ましく、５０μｇ／ｇ以下であることがより好ましい。また、ゴム変性スチレン系樹脂組成物中の残存重合溶媒の量は１００μｇ／ｇ以下であることが好ましい。ゴム変性スチレン系樹脂組成物中の残存スチレンモノマー及び残存重合溶媒の総量が多いと、成形時にガスが発生して金型が汚染されることから、極力低減することが好ましい。
【００４５】
上記残存スチレンモノマー及び残存重合溶媒の量は、樹脂５００ｍｇを、内部標準物質としてシクロペンタノールを含むＤＭＦ（ジメチルホルムアミド）１０ｍｌに溶解し、ガスクロマトグラフィーを用いて以下の条件で測定した。
ガスクロマトグラフ：ＨＰ−５８９０（ヒューレットパッカード社製）
カラム：ＨＰ−ＷＡＸ、０．２５ｍｍ×３０ｍ、膜厚０．５μｍ
インジェクション温度：２２０℃
カラム温度：６０℃〜１５０℃、１０℃／ｍｉｎ
ディテクター温度：２２０℃
スプリット比：３０／１
残存スチレンモノマー及び重合溶媒は、脱揮工程の構成及び脱揮工程の運転条件により、低減することができ、二段脱揮或いは二段注水脱揮などの構成とすることで好ましい範囲に調整することができる。
【００４６】
本発明のゴム変性スチレン系樹脂組成物のメタノール可溶分は、１．０〜７．０質量％であることが好ましく、３．５〜５．０質量％であることがより好ましい。メタノール可溶分が１．０質量％未満では流動性が低下する。メタノール可溶分が７．０質量％を超えると容器の耐熱性が低下する。メタノール可溶分とは樹脂組成物中のメタノールに可溶な成分を指し、例えばゴム変性スチレン系樹脂の重合過程や脱揮工程で副生成するスチレンオリゴマー（スチレンダイマー、スチレントリマー）の他にホワイトオイル、シリコーンオイル等の各種添加剤や残存スチレンモノマー及び重合溶媒等の低分子量成分が含まれる。メタノール可溶分は、重合過程で副生成するスチレンオリゴマー（スチレンダイマー、スチレントリマー）の発生量、ホワイトオイル等の各種添加剤の添加量、残存スチレンモノマー及び重合溶媒の量により調整することができる。
【００４７】
なお、メタノール可溶分は樹脂組成物１ｇを精秤（質量Ｐ）し、メチルエチルケトンを４０ｍＬ加えて溶解し、メタノール４００ｍＬを急激に加えて、メタノール不溶分（樹脂成分）を析出、沈殿させる。約１０分間静置した後、ガラスフィルターで徐々にろ過してメタノール不溶分を分離し、１２０℃の真空乾燥機にて２時間減圧下で乾燥した後、デシケータ内で約２５分間放冷し、乾燥したメタノール不溶分の質量Ｎを測定することで、次式によって求めた。
メタノール可溶分（質量％）＝（Ｐ−Ｎ）／Ｐ×１００
【００４８】
本発明のゴム変性スチレン系樹脂組成物のゲル分は１０〜２５質量％であることが好ましく、１４〜２０質量％であることがより好ましい。ゲル分はゴム変性スチレン系樹脂組成物の分散相を構成するゴム状分散粒子の含有量を表し、ゲル分が１０質量％未満では耐衝撃性が低下し、２５質量％を超えると剛性が低下する。ゲル分は、原料として使用するゴム状重合体の濃度と後述するグラフト率によって調整することができる。
【００４９】
ゲル分は、１ｇのゴム変性スチレン系樹脂組成物を精秤し（質量Ｗ）、５０％メチルエチルケトン／５０％アセトン混合溶液３５ミリリットルを加えて溶解し、その溶液を遠心分離機（コクサン社製Ｈ−２０００Ｂ（ローター：Ｈ））にて、１４０００ｒｐｍで３０分間遠心分離して不溶分を沈降させ、デカンテーションにより上澄み液を除去して不溶分を得て、セーフティーオーブンにて９０℃で２時間予備乾燥し、更に真空乾燥機にて１２０℃で１時間真空乾燥し、２０分間デシケーター中で冷却した後、乾燥した不溶分の質量Ｇを測定して、次のように求めることができる。
ゲル分（質量％）＝（Ｇ／Ｗ）×１００
なお、デカンテーションにより分離した上澄み液を３００ｍｌビーカーに入れ、メタノール２５０ミリリットルを急激に加え、ポリマー分を再沈させ、沈殿したポリマー分をフィルターで吸引ろ過し、フィルター上のポリマーを真空乾燥機にいれて１．５時間以上真空乾燥し、前述の平均分子量（Ｍｚ、Ｍｗ）および分岐比ｇＭの測定サンプルとした。
【００５０】
本発明のゴム変性スチレン系樹脂組成物のグラフト率は１．５〜４．０であることが好ましく、２．５〜３．５であることがより好ましい。グラフト率が１．５未満或いは４．０を超える場合、耐衝撃性が低下する。グラフト率はゴム状分散粒子中のポリスチレンとゴム分の比を表し、ゴム状分散粒子が単位ゴム分当たりにグラフトしたポリスチレン及び内包したポリスチレンの量を表す。グラフト率は、使用するゴム状重合体の１，２−ビニル結合の含有量、重合開始剤の種類及び添加量、ゴム粒子を形成させる反応器の形式などによって調整することができる。グラフト率はゲル分とゴム分より、グラフト率＝（ゲル分−ゴム分）／ゴム分によって算出した。
【００５１】
ゴム変性スチレン系樹脂組成物中のゴム分は、ゴム変性スチレン系樹脂組成物をクロロホルムに溶解させ、一定量の一塩化ヨウ素／四塩化炭素溶液を加え、暗所に約１時間放置後、ヨウ化カリウム溶液を加え、過剰の一塩化ヨウ素を０．１Ｎチオ硫酸ナトリウム／エタノール水溶液で滴定し、付加した一塩化ヨウ素量から求めることができる。
【００５２】
本発明のゴム変性スチレン系樹脂組成物中のゴム成分の膨潤比ＳＲは８〜１６であることが好ましく、９〜１２であることがより好ましい。膨潤比はゴム状分散粒子の架橋度を表しており、９未満では耐衝撃性が低下し、また、膨潤比が１６を超えると、成形加工時にゴム状分散粒子が流動方向に対して大きく変形し、流動方向に沿って割れやすくなる。膨潤比は重合工程を出た後の脱揮工程における温度と滞留時間によって調製することができる。また、原料として使用するゴム状重合体の種類にもより、１，２−ビニル結合含有量の少ないハイシスポリブタジエンゴムは、ローシスゴムに比べて膨潤比が高めの傾向となる。
【００５３】
膨潤比ＳＲは、１ｇのゴム変性スチレン系樹脂組成物を精秤し、トルエン３０ミリリットルを加え溶解し、その溶液を遠心分離機（コクサン社製Ｈ−２０００Ｂ（ローター：Ｈ））にて、１４０００ｒｐｍで３０分間遠心分離して不溶分を沈降させ、デカンテーションにより上澄み液を除去してトルエンで膨潤した不溶分の質量Ｓを測定し、続いてトルエンで膨潤した不溶分をセーフティーオーブンにて９０℃で２時間予備乾燥した後、更に真空乾燥機にて１２０℃で１時間真空乾燥し、２０分間デシケータ中で冷却した後、不溶分の乾燥質量Ｄを測定して、次のように求めることができる。
膨潤比ＳＲ＝Ｓ／Ｄ
【００５４】
本発明のゴム変性スチレン系樹脂組成物のゴム状分散粒子の粒子径は、１．５〜５．０μｍであることが好ましく、２．０〜４．０μｍであることがより好ましい。粒子径が１．５μｍ未満では耐衝撃性が低下し、５．０μｍを超えると光沢が低下して外観が悪化する。ゴム状分散粒子の粒子径は、使用するゴム状重合体の１，２−ビニル結合含有量や溶液粘度、重合工程のゴム状分散粒子を形成させる領域（相転移）における攪拌速度や重合開始剤の種類及び添加量、連鎖移動剤の種類及び添加量などによって制御することができる。また、ゴム状重合体として、スチレンが結合したスチレン−ブタジエンゴムを用いることで、小粒子径化することができる。
【００５５】
ゴム状分散粒子の粒子径は、ゴム変性スチレン系樹脂組成物を四酸化オスミウムで染色し、透過型電子顕微鏡（ＴＥＭ）を用いて、超薄切片におけるゴム状分散粒子のＴＥＭ写真を撮影し、ゴム状分散粒子の直径を計測して体積基準の中位径として粒子径を算出した。
【００５６】
本発明のスチレン系樹脂組成物およびスチレン系樹脂材料の２００℃、４９Ｎ荷重の条件にて測定したメルトマスフローレイト（ＭＦＲ）は、５．５ｇ／１０分以上１０．０ｇ／１０分未満であることが好ましく、６．０ｇ／１０分以上、９．０ｇ／１０分未満であることがより好ましい。５．５ｇ／１０分未満では、流動性が不足し好ましくない。１０ｇ／１０分以上では溶融張力とのバランスを取るのが困難となるため好ましくない。ＭＦＲは、ＪＩＳ  Ｋ−７２１０に基づき測定することができる。
【００５７】
本発明のスチレン系樹脂組成物又はこのスチレン系樹脂組成物に後記するような添加剤を配合して得られるスチレン系樹脂材料の１９０℃で測定した溶融張力値は６〜１２ｇｆであること好ましく、７〜１１ｇｆであることがより好ましい。また、最大溶融延伸倍率は１２０〜１８０が好ましく、１３０〜１７０がより好ましい。溶融張力値が６ｇｆ未満では、成形品の肉厚が不均一となり、糸引きが発生しやすくなる。溶融張力値が１２ｇｆを超えると流動性とのバランスが取れ難いものとなる。また、最大溶融延伸倍率が１２０未満ではブロー成形の際、パリソンの伸びが不足して、成形時にパリソンが破断したり、成形品の型再現性が悪化する。最大溶融延伸倍率が１８０を超えると、糸曳きが発生しやすくなる。
【００５８】
溶融張力値は、東洋精機製「キャピログラフ１Ｂ型」を使用し、バレル温度１９０℃、バレル径９．５５ｍｍ、キャピラリー長さ：Ｌ＝１０ｍｍ、キャピラリー径：Ｄ＝１ｍｍ（Ｌ／Ｄ＝１０）、バレル内の押出し速度１０ｍｍ／分にて樹脂を押出し、荷重測定部をダイから６０ｃｍ下方にセットし、キャピラリーより流出してきたストランド状の樹脂を巻き取り器にセットし、巻き取り線速度を４ｍ／分から徐々に速度を上昇していき、ストランドが破断するまでの荷重を測定する。荷重は巻き取り線速度を上げていくと、一定値に安定するので、荷重が安定した範囲を平均化して溶融張力値とした。また、ストランドが破断したときの巻き取り線速度（ｍ／分）とキャピラリー内の流速（ｍ／分）の比を最大溶融延伸倍率（倍）とした。
【００５９】
本発明のゴム変性スチレン系樹脂組成物を製造する際には、重合反応の制御の観点から、必要に応じて重合溶媒、有機過酸化物等の重合開始剤や脂肪族メルカプタン等の連鎖移動剤を使用することができる。
【００６０】
重合溶媒は連続重合において反応物の粘性を低下させるために用いるものであり、その有機溶剤としては、例えばベンゼン、トルエン、エチルベンゼン及びキシレン等のアルキルベンゼン類やアセトンやメチルエチルケトン等のケトン類、ヘキサンやシクロヘキサン等の脂肪族炭化水素等が使用できる。
【００６１】
特に多官能ビニル共重合体の添加量を多くしたい場合には、ゲル化を抑制する観点から重合溶媒を使用することが好ましい。これにより、先に示した多官能ビニル共重合体の添加量を飛躍的に増量することができ、ゲルが生じにくい。
【００６２】
重合溶媒の使用量は、特に限定されるものではないが、ゲル化を制御するという観点から、通常、重合反応器内の組成として、１〜５０質量％であることが好ましく、３〜２５質量％の範囲内であることがより好ましい。５０質量％を超える場合は、生産性が著しく低下したり、ゴム変性スチレン系樹脂の分子量が過度に低下する場合がある。
【００６３】
重合開始剤としては、ラジカル重合開始剤が好ましく、公知慣用の例えば、１，１−ジ（ｔ−ブチルパーオキシ）シクロヘキサン、２，２−ジ（ｔ−ブチルパーオキシ）ブタン、２，２−ジ（４，４−ジ−ｔ−ブチルパーオキシシクロヘキシル）プロパン、１，１−ジ（ｔ−アミルパーオキシ）シクロヘキサン等のパーオキシケタール類、クメンハイドロパーオキサイド、ｔ−ブチルハイドロパーオキサイド等のハイドロパーオキサイド類、ｔ−ブチルパーオキシアセテート、ｔ−アミルパーオキシイソノナノエート等のアルキルパーオキサイド類、ｔ−ブチルクミルパーオキサイド、ジ−ｔ−ブチルパーオキサイド、ジクミルパーオキサイド、ジ−ｔ−ヘキシルパーオキサイド等のジアルキルパーオキサイド類、ｔ−ブチルパーオキシアセテート、ｔ−ブチルパーオキシベンゾエート、ｔ−ブチルパーオキシイソプロピルモノカーボネート等のパーオキシエステル類、ｔ−ブチルパーオキシイソプロピルカーボネート、ポリエーテルテトラキス（ｔ-ブチルパーオキシカーボネート）等のパーオキシカーボネート類、Ｎ，Ｎ'−アゾビス（シクロヘキサン−１−カルボニトリル）、Ｎ，Ｎ'−アゾビス（２−メチルブチロニトリル）、Ｎ，Ｎ'−アゾビス（２，４−ジメチルバレロニトリル）、Ｎ，Ｎ'−アゾビス［２−（ヒドロキシメチル）プロピオニトリル］等が挙げられ、これらの１種あるいは２種以上を組み合わせて使用することができる。
【００６４】
さらに本発明のゴム変性スチレン系樹脂組成物の分子量調整に連鎖移動剤を用いることができ、例えば、脂肪族メルカプタン、芳香族メルカプタン、ペンタフェニルエタン、α−メチルスチレンダイマー及びテルピノーレン等が挙げられる。
【００６５】
本発明のゴム変性スチレン系樹脂組成物は、前述のように、ゴム成分を溶解したスチレン系モノマーに多官能ビニル共重合体を添加して連続重合することにより得られるが、加工の容易さを付与したり、強度の向上のために、予め重合されたスチレン系樹脂や前述の流動パラフィン類以外の添加剤等を押出機で溶融ブレンドしたり、ペレット状態でドライブレンドして用いることもできる。
【００６６】
上記のスチレン系樹脂や添加剤としては、流動性の改良のためのＧＰ−ＰＳ樹脂や強度向上のためのゴム質を含有するＭＢＳ樹脂等のゴム強化芳香族ビニル系樹脂やＳＢＳ等の芳香族ビニル系熱可塑性エラストマーが挙げられる。また、添加剤としてはエチレンビスステアリルアミド等の滑剤、酸化防止剤が挙げられる。
【００６７】
本発明のゴム変性スチレン系樹脂組成物には、特に、離型剤として高級脂肪酸の金属塩や高級脂肪酸、ポリエチレングリコールを組み合わせて添加することが好ましく、高級脂肪酸の金属塩と高級脂肪酸の組み合わせ、又は、高級脂肪酸の金属塩とポリエチレングリコールの組み合わせが好ましい。高級脂肪酸とは炭素数１２〜２２の飽和直鎖カルボン酸であり、例えばステアリン酸、ベヘニン酸、パルチミン酸、ミリスチン酸、ラウリン酸等が挙げられ、中でもステアリン酸が好ましい。高級脂肪酸の金属塩としては、上記の高級脂肪酸とカルシウム、亜鉛、マグネシウム、アルミニウム、リチウム、ナトリウム、カリウムなどとの塩が挙げられ、中でもステアリン酸カルシウム、ステアリン酸亜鉛が好ましい。ポリエチレングリコールは平均分子量が６００〜１００，０００の範囲のものが好ましい。
【００６８】
本発明のゴム変性スチレン系樹脂組成物をインジェクションブロー成形する方法は、ＨＩＰＳの成形に用いられる公知の方法を用いることができる。例えば、溶融樹脂をまず射出成形金型内に射出成形してパリソンを形成し、次に圧縮ガスを吹き込んでブロー成形する方法（ダイレクトブロー）や、射出成形後のパリソンをロッドで縦延伸した後、圧縮ガスを吹き込みブロー成形する方法（二軸延伸ブロー）が挙げられる。インジェクションブローで得られる成形品としては、各種容器類等がある。
【実施例】
【００６９】
以下、実施例を挙げて本発明を具体的に説明するが、本発明はこれら実施例に限定されるものではない。
【００７０】
合成例（多官能ビニル共重合体Ａ）
ジビニルベンゼン３．１モル（３９９．４ｇ）、エチルビニルベンゼン０．７モル（９５．１ｇ）、スチレン０．３モル（３１．６ｇ）、２−フェノキシエチルメタクリレート２．３モル（４６３．５ｇ）、トルエン９７４．３ｇを３．０Ｌの反応器内に投入し、５０℃で４２．６ｇの三フッ化ホウ素ジエチルエーテル錯体を添加し、６．５時間反応させた。重合反応を炭酸水素ナトリウム溶液で停止させた後、純水で３回油層を洗浄し、室温で反応混合液を大量のメタノールに投入し、重合体を析出させた。得られた重合体をメタノールで洗浄し、濾別、乾燥、秤量して、多官能ビニル共重合体Ａ３７２．５ｇを得た。この多官能ビニル共重合体Ａの重量平均分子量Ｍｗは８０００で、ジビニル化合物由来のビニル基を含有する構造単位（ａ１）のモル分率は０．４４、末端の２−フェノキシエチルメタクリレート由来の二重結合（ａ２）は０．０３、両者を合わせた合計のモル分率（ａ３）は０．４７であった。また重量平均分子量８０００における共重合体の慣性半径は６．４ｎｍであった。本共重合体の二重結合のモル分率と慣性半径の比は１３．６であり、かつ、直鎖型の分子量８０００における慣性半径が１５ｎｍであることと比較すると本合成例における多官能ビニル共重合体は分岐構造をとっていることがわかる。
【００７１】
製造例（実施例及び比較例）
（スチレン系樹脂組成物ＰＳ−１〜ＰＳ−１０の製造方法）
完全混合型撹拌槽である第１反応器と攪拌翼付塔型プラグフロー型反応器である第２反応器および第３反応器、スタティックミキサー式プラグフロー型反応器である第４反応器を直列に接続して重合工程を構成した。各反応器の容量は、第１反応器を２５L、第２反応器を４０L、第３反応器を５０L、第４反応器を５０Lとした。表１に記載の原料組成にて、原料溶液を作成し、第１反応器に原料溶液を表１に記載の流量にて連続的に供給した。ポリブタジエンは、旭化成ケミカルズ株式会社製ジエン５５ＡＥを使用した。重合開始剤は、第３反応器の入口で表１に記載の添加濃度（原料スチレンに対する質量基準の濃度）となるように原料溶液に添加し、均一混合した。表１中、重合開始剤−１は２，２−ジ（４，４−ｔ−ブチルパーオキシシクロヘキシル）プロパン（日油株式会社製パーテトラＡ）であり、重合開始剤−２はｔ−ブチルクミルパーオキサイド（日油株式会社製パーブチルＣ）である。ｔ−ドデシルメルカプタンは連鎖移動剤であり、第３反応器の入口で表１に記載の添加濃度（原料スチレンに対する質量基準の濃度）となるように添加し、均一混合した。架橋剤は、上記合成例で得た多官能ビニル共重合体A又はジビニルベンゼン（DVB）を使用し、第１反応器の入口で表１に記載の添加濃度（原料スチレン質量基準の濃度）となるように原料溶液に添加した。
続いて、第４反応器より連続的に取り出した重合体を含む溶液に、重合体に対して表１の濃度となるようホワイトオイルを添加／混合し、直列に２段より構成される予熱器付き真空脱揮槽に導入し、表１に記載の樹脂温度となるよう予熱器の温度を調整し、表１に記載の圧力に調整することで、未反応スチレン及びエチルベンゼンを分離した。得られた重合体を二軸脱揮押出機に供給し、離型剤としてステアリン酸カルシウム（日油株式会社製カルシウムステアレートＧ）を０．３質量％、ポリエチレングリコール（日油株式会社製ＰＥＧ４０００）を０．２質量％の添加量で重合体に対して添加混合した後、二段で注水脱揮を行い未反応スチレン及びエチルベンゼンを再度分離した後、多孔ダイよりストランド状に押し出しして、コールドカット方式にて、ストランドを冷却および切断しペレット化した。なお、ＰＳ−１〜３は実施例であり、ＰＳ−４〜１０は比較例である。このペレットは、インジェクションブロー用のスチレン系樹脂組成物のペレットである。
【００７２】
なお、それぞれの条件にて連続運転でのゲル状物の有無を確認したところ、ＰＳ−６とＰＳ−１０の条件では２４時間の時点で多孔ダイからのストランドにゲル状物が多数含まれ、運転の継続が困難であった。
また、各反応器出口とペレットの分子量Ｍｗ、Ｍｚより、本発明の多官能ビニル共重合体を用いることで、重合初期より高分岐型超高分子量共重合体が効率良く生成していることがわかる。
【００７３】
【表１】
0005930668.tif 000003
【００７４】
実施例１
ゴム変性スチレン系樹脂組成物ＰＳ−１を用い、インジェクションブロー成形機（ダイレクトブロー）により、高さ７３ｍｍ、口部直径３８ｍｍの乳酸菌飲料用の容器を成形し、容器を横にした状態で口部を２００ｍｍ／分の速度で圧縮し、荷重の最大値を圧縮強度（Ｎ）とした。また、２００個の容器について観察を行い、糸曳きの発生状況を評価した（○：２個以下、△：２〜１０個、×：１０個以上）。
また、シャルピー衝撃強さは、ＪＩＳ  Ｋ  ７１１１に基づき、方法１ｅＡ（エッジワイズ衝撃）により求めた。ビカット軟化温度は、ＪＩＳ  Ｋ  ７２０６に基づき、昇温速度５０℃／ｈ、荷重５０Ｎの条件にて求めた。
【００７５】
実施例２〜３、比較例１〜５
表２に示した名称のスチレン系樹脂組成物を用いた以外は実施例１と同様に評価を行った。上記製造例で得られたスチレン系樹脂組成物の特性、および実施例１〜３、比較例１〜５の容器の評価結果を表２に示す。
【００７６】
【表２】
0005930668.tif 000004